(57)【要約】【課題】レーザ光源を用いた光源装置において、各種の光学調整を容易に行えるようにする。【解決手段】赤、青、緑の各レーザ光を出射するレーザ光源と、各レーザ光の出射角度調整及びフォーカス調整を行う第１コリメータモジュール（２０４）、第２コリメータモジュール（２０５）、第３コリメータモジュール（２０６）と、各レーザ光の位置調整を行う第１シフトモジュール（２０７）、第２シフトモジュール（２０８）、第３シフトモジュール（２０９）と、各レーザ光を所定方向へ出射する第１ダイクロイックミラー（２１０）、第２ダイクロイックミラー（２１１）、第３ダイクロイックミラー（２１２）とを有する。【選択図】図５
2017143014.tif 000002
【特許請求の範囲】
【請求項１】
レーザ光を出射するレーザ光源と、
前記レーザ光源からのレーザ光が入射され、レーザ光の出射角度調整及びフォーカス調整を行う第１調整機構と、
前記第１調整機構からのレーザ光が入射され、入射されたレーザ光の位置調整を行う第２調整機構と、
前記第２調整機構からのレーザ光が入射され、入射されたレーザ光を所定方向へ出射するミラーと、を備えたことを特徴とする光源装置。
【請求項２】
請求項１に記載の光源装置において、
前記第１調整機構は、コリメータレンズと、前記コリメータレンズの光学中心を変更する調整機構と、を備えたことを特徴とする光源装置。
【請求項３】
請求項１に記載の光源装置において、
前記第２調整機構は、前記レーザ光を透過する平行平板と、前記平行平板の傾きを変更する調整機構、および前記平行平板を回転させる調整機構と、を備えたことを特徴とする光源装置。
【請求項４】
請求項１に記載の光源装置において、
前記レーザ光源が、赤色のレーザ光を出射する第１レーザ光源と、青色のレーザ光を出射する第２レーザ光源と、緑色のレーザ光を出射する第３レーザ光源と、を備えたことを特徴とする光源装置。
【請求項５】
請求項４に記載の光源装置において、
前記第１レーザ光源、第２レーザ光源、第３レーザ光源のそれぞれに対して、前記第１調整機構、第２の調整機構を備えたことを特徴とする光源装置。
【請求項６】
請求項１及至請求項５に記載の光源装置を備えたことを特徴とする画像表示装置。
【発明の詳細な説明】
【技術分野】
【０００１】
本発明は、光源装置および当該光源装置を用いた画像表示装置に関し、たとえばレーザ光源を用いた光源装置、およびこれを用いて画像形成部で形成した画像を表示させる画像表示装置に好適なものである。
【背景技術】
【０００２】
赤色、青色および緑色などのレ−ザ光を用いてスクリ−ンに画像を投射するレ−ザディスプレイ装置や、また、近年では、ガラス表面での表面反射（或いはハーフミラー）と自由曲面ミラーなどとを組み合わせた虚像光学系により、空間上に映像を表示させる画像表示装置の開発が進んできている。
【０００３】
特に、乗用車等の移動体に搭載されているヘッドアップディスプレイと称される画像表示装置への応用が期待されている。たとえば、乗用車に搭載されるヘッドアップディスプレイでは、画像情報により変調された光がウインドシールド（フロントガラス）に向けて投射され、その反射光が運転者の目に照射される。
【０００４】
これにより、運転者は、ウインドシールドの前方に、画像の虚像を見ることができる。たとえば、車速や気温等が、虚像として表示される。最近では、ナビゲーション画像や、実在する通行人を運転者に対して注意喚起する画像を虚像として表示することも検討されている。
【０００５】
上記ヘッドアップディスプレイでは、光源として、半導体レーザ等のレーザ光源が用いられ得る。この構成では、映像信号に応じてレーザ光が変調されつつ、レーザ光がスクリーンを走査する。スクリーンでは、レーザ光が拡散され、運転者の目に照射される光の領域が広げられる。これにより、運転者が多少頭を動かしても、目が照射領域から外れなくなり、運転者は、良好かつ安定的に画像（虚像）を見ることができる。
【０００６】
レーザ光源を用いることで、レーザビームをスクリーン上に走査させる光学系を小型化できる上、大きな光学倍率を有する虚像光学系と組み合わせることで、より小さな本体寸法であるにもかかわらず大きな虚像を表示することができるため、ヘッドアップディスプレイの搭載車種を増やす効果が期待されている。
【０００７】
下記特許文献１には、二次元のカラー画像を投射する画像投射装置であって、支持物と、異なる波長の複数のレーザ光線を放射するためのレーザアセンブリと、該支持物から作用距離にあるスペースにおける走査ラインのパターンを掃引するためのスキャナと、選択されたピクセルを該レーザ光線によって照明されて見えるようにさせることによって画像を生成するためのコントローラと、該レーザ光線をフォーカスしてほぼ共線的に揃えることによって該スキャナに向けられる合成光線を形成するための光学アセンブリとを備えたものが開示されている。
【先行技術文献】
【特許文献】
【０００８】
【特許文献１】特表２００８−５２９０６９号公報
【発明の概要】
【発明が解決しようとする課題】
【０００９】
光源装置および画像表示装置においては、半導体レーザなどの光源からの赤色、青色および緑色などのレ−ザ光を調整する必要がある。具体的には、赤色、青色および緑色のレーザ光が投影面上で一点になるように、出射角度や光軸中心を一致させたり、フォーカス調整等を綿密に行ったりする必要がある。このような各種光学調整が正確になされていないと、画像表示装置から画像を表示させた際、各色の発光点がずれて色が分離して見えたり、ぼやけた映像になったりする原因となる。
【００１０】
また、レーザダイオードの実装ばらつき、あるいは走査ミラーの平面度ばらつきのために、レーザビームのフォーカス位置が、色毎にばらついたり、個体ばらつきが発生したりすることで、表示画像が劣化する。表示画像の品質が個体ごとにばらつくと言った課題が発生する。
【課題を解決するための手段】
【００１１】
上記の課題を解決するため、本発明の光源装置は、レーザ光を出射するレーザ光源と、前記レーザ光源からのレーザ光が入射され、レーザ光の出射角度調整及びフォーカス調整を行う第１調整機構と、前記第１調整機構からのレーザ光が入射され、入射されたレーザ光の位置調整を行う第２調整機構と、前記第２調整機構からのレーザ光が入射され、入射されたレーザ光を所定方向へ出射するミラーと、を備えたことを特徴とする。
【００１２】
また、本発明の画像表示装置は、上記光源装置を備えたことを特徴とする。
【発明の効果】
【００１３】
本発明の画像表示装置によれば、第１調整機構によってレーザ光の出射角度調整及びフォーカス調整を行え、且つ第２調整機構によってレーザ光の位置調整を行うことができるため、光学調整の自由度が高く、また、調整が容易となるものである。
【００１４】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００１５】
【図１】図１（ａ）、（ｂ）は、実施の形態に係る画像表示装置の使用形態を示す図である。
【図２】図２は、実施の形態に係る画像表示装置の概略構成を示す図である。
【図３】図３は、実施の形態に係る光学モジュール（光源装置）の概略構成を示す模式図である。
【図４】図４は、実施の形態に係る光学モジュール（光源装置）の外観を示す斜視図である。
【図５】図５は、実施の形態に係る光学モジュール（光源装置）の内部を示す斜視図である。
【図６】図６は、実施の形態に係る光学モジュール（光源装置）におけるコリメータモジュールの外観を示す斜視図である。
【図７】図７は、実施の形態に係る光学モジュール（光源装置）におけるコリメータモジュールの構成を示す分解斜視図である。
【図８】図８は、実施の形態に係る光学モジュール（光源装置）の内部構造の一部を示す斜視図である。
【図９】図９（ａ）、（ｂ）は、実施の形態に係る光学モジュール（光源装置）におけるコリメータモジュールの取付け状態を示す断面図である。
【図１０】図１０は、実施の形態に係る光学モジュール（光源装置）におけるシフトモジュールの外観を示す斜視図である。
【図１１】図１１は、実施の形態に係る光学モジュール（光源装置）におけるシフトモジュールの構成を示す分解斜視図である。
【図１２】図１２は、実施の形態に係る光学モジュール（光源装置）におけるシフトモジュールの動作を示す模式図である。
【図１３】図１３は、実施の形態に係る光学モジュール（光源装置）の一部構成を示す斜視図である。
【図１４】図１４（ａ）は、従来の構成における赤色光、緑色光、青色光の集光位置を示す図、図１４（ｂ）は実施の形態における赤色光、緑色光、青色光の集光位置を示す図である。
【発明を実施するための形態】
【００１６】
以下、本発明の実施の形態にかかる光源装置および画像表示装置について、図面を参照しながら説明する。
【００１７】
先ず、図１は、本発明の実施の形態における光源装置およびこれを搭載した画像表示装置１２０の使用形態を示す図である。図１（ａ）は、車両１０１の側方から車両１０１の内部を透視した図、図１（ｂ）は、車両１０１の内部から走行方向前方を見た図である。なお、本実施の形態は、一例として、光源装置を車載用のヘッドアップディスプレイに本発明を適用したものである。
【００１８】
図１（ａ）に示すように、画像表示装置１２０は、車両１０１のダッシュボード１１１の内部に設置される。図１（ａ）、図１（ｂ）に示すように、画像表示装置１２０は、映像信号により変調されたレーザ光を、ウインドシールド１１２の下側の運転席寄りに配置された投射領域１１３に投射する。
【００１９】
レーザ光は、投射領域１１３で反射され、運転者１０２の目の位置周辺の横長の領域（アイボックス領域）に照射される。これにより、運転者１０２の前方の視界に、虚像として所定の画像１３０が表示される。運転者１０２は、ウインドシールド１１２の前方の景色上に、虚像である画像１３０を重ね合わせて見ることができる。すなわち、画像表示装置１２０は、虚像である画像１３０をウインドシールド１１２の投射領域１１３の前方の空間に結像させる。
【００２０】
図２は、画像表示装置１２０の内部構成を示す模式図である。図２に示すように、画像表示装置１２０は、光学モジュール１２１（光源装置）と、虚像光学系１２２を備える。
【００２１】
さらに、図３は、前記光学モジュール１２１の内部構成を示した模式図である。光学モジュール１２１は、レーザ光源としてのレーザダイオード（以下、ＬＤ）であるＬＤ２０１、ＬＤ２０２、ＬＤ２０３を有し、映像信号（図示せず）により変調されたレーザ光が出射される。本発明では、ＬＤ２０１が青色の半導体レーザ光源、ＬＤ２０２が緑色の半導体レーザ光源、ＬＤ２０３が赤色の半導体レーザ光源となっている。
【００２２】
各ＬＤから発せられたレーザ光は、第１ダイクロイックミラー２１０、第２ダイクロイックミラー２１１、第３ダイクロイックミラー２１２を介して、略同軸なレーザビームとして成形され、走査部２１３へ入射される。その後、レーザビームは、走査部２１３内にある走査ミラー２１３ａおよび三次元表示用のスクリーン駆動部２１３ｂを経て、図２に示した虚像光学系１２２へと導かれる。
【００２３】
また、図３において、２０４は第１コリメータモジュール、２０５は第２コリメータモジュール、２０６は第３コリメータモジュールであり、２０７は第１シフトモジュール、２０８は第２シフトモジュール、２０９は第３シフトモジュールである。前記第１コリメータモジュール２０４、第２コリメータモジュール２０５、第３コリメータモジュール２０６、および第１シフトモジュール２０７、第２シフトモジュール２０８、第３シフトモジュール２０９の具体的な構成については後述する。
【００２４】
次に、２１４は分光ミラーであり、各ＬＤからのレーザ光の９５％程度を通過させると共に、５％程度を反射する。反射された５％程度のレーザ光は、その先にある輝度モニタ２１５へ導かれ、画像表示装置における輝度調整等に利用される。
【００２５】
前記走査ミラー２１３ａは、２０ｋＨｚ程度の共振周波数で往復運動する軸（便宜的に高速軸と呼ぶ）と、画像のフレームレート（実施例の場合６０Ｈｚ）で往復運動する軸（便宜的に低速軸と呼ぶ）の二つの回動軸を有している。
【００２６】
図２に戻り、虚像光学系１２２は、曲面状の反射面１２２ａと、平面状の反射面１２２ｂとを有する。光学モジュール１２１から出射されたレーザ光は、虚像光学系１２２でウインドシールド１１２に向けて反射される。ウインドシールド１１２で反射されたレーザ光は、運転者１０２の目１０２ａに照射される。光学モジュール１２１の光学系と虚像光学系１２２は、ウインドシールド１１２の前方に虚像による画像１３０が所定の大きさで表示されるように設定されている。
【００２７】
なお、本実施の形態では、ウインドシールドを通して虚像を観察するウインドシールド型のヘッドアップディスプレイへ展開した場合における実施例で説明したが、コンバイナと呼ばれる光学部品を通して虚像を観察するコンバイナ型と呼ばれるヘッドアップディスプレイへ展開も可能である。
【００２８】
また、本実施の形態では、前記走査ミラー２１３ａは、圧電材料による歪みを与える効果や、電磁的な力、静電気を用いた所謂ＭＥＭＳ構造を用いた往復ミラーを用いた光学構成になっているが、レーザ光を走査する形態であれば、ポリゴンミラーやガルバノミラーを用いることも可能である。
【００２９】
次に、図４は、光学モジュール１２１の外観を示している。同図において、６００はシールドカバーであり、その一部に投射窓６００ａが形成されている。そして、７００は光学モジュール１２１で発生した熱を放熱するための冷却ユニットである。この冷却ユニット７００は、ペルチェ素子およびヒートシンク等を備えているが、その詳細な説明は割愛する。
【００３０】
また、図５は、光学モジュール１２１の内部構成を示す斜視図であり、同図において５００は、前記図３において破線で囲った部分が搭載された光学ベース部、５０１は走査部２１３が搭載された走査ベース部、５０２は、前記光学ベース部５００および走査ベース部５０１が載置される結合ベース部である。なお、５００ｅは前記分光ミラー２１４で分光された輝度検出用のレーザ光を輝度モニタ２１５（図３参照）へ導くために形成した開孔である。
【００３１】
続いて、図６は、前記コリメータモジュールの外観を示し、図７はコリメータモジュールの分解斜視図を示している。なお、第１コリメータモジュール２０４、第２コリメータモジュール２０５、第３コリメータモジュール２０６ともに同様の構造をしているので、ここでは代表して、第１コリメータモジュール２０４を基に説明する。
【００３２】
図６および図７において、３０１はフォーカススライダ、３０１ａはフォーカスレール（図８の３０８，３０９を参照）に当接するレール当接部、３０１ｂは突出部、３０１ｃは突出部３０１ｂに形成された螺子孔、３０１ｄおよび３０１ｅは出射角度調整螺子３０６，３０７が挿入される螺子孔、３０１ｆは各ＬＤからのレーザ光が通る開孔、３０１ｇは凹部である。
【００３３】
次に、３０２はコリメータホルダであり、凹部３０２ａ、各ＬＤからのレーザ光が通る開孔３０２ｂ、コリメータレンズ３０３が位置決めされる段部３０２ｃを有しており、コリメータレンズ３０３は、前記段部３０２ｃに接着固定される。コリメータホルダ３０２は、前記フォーカススライダ３０１に形成された凹部３０１ｇ内に収納されるが、その際、同じく凹部３０１ｇ内に収納されたコリメータシフトスプリング３０４の押圧部３０４ａによって押圧され、がたつくことなく配備される。
【００３４】
また、３０５は金属製のコリメータカバーであり、中央に開孔３０５ａを有し、さらに周囲に複数の保持爪３０５ｂを備えており、前記フォーカススライダ３０１の凹部３０１ｇに収納されたコリメータホルダ３０２、コリメータシフトスプリング３０４を覆うように、フォーカススライダ３０１に取り付けられる。
【００３５】
ＬＤから出射されたレーザ光は、ＬＤの発光点とコリメータレンズの光学中心を結んだ方向へ出射される。そのため、前記出射角度調整螺子３０６および３０７を回して、螺子の先端部分によってコリメータホルダ３０２を押圧し、その位置を変更することにより、レーザ光の出射角度を調整することができる。
【００３６】
図８は、図５に示した構成から、第１コリメータモジュール２０４、第１シフトモジュール２０４、第１ダイクロイックミラー２１０を取り除いた状態を示している。同図に示すように、光学ベース部５００には、第１コリメータモジュール２０４を載置する凹部５００ａが形成され、さらにその底面には長丸形状の調整孔５００ｂが形成されている。
【００３７】
凹部５００ａには、フォーカスレール３０８およびフォーカスレール３０９が配備されている。なお、第２コリメータモジュール２０５、第３コリメータモジュール２０６の下にも同様に凹部および調整孔が形成されると共に、凹部内にフォーカスレールが配備される。
【００３８】
次に、図９（ａ）、図９（ｂ）は、光学ベース部５００に組み込まれた第１コリメータモジュール２０４を示す断面図である。同図に示すように、第１コリメータモジュール２０４は、光学ベース部５００の裏面側に形成された凹部５００ｃより、前記調整孔５００ｂを介して螺子６００およびスプリング６０１が取り付けられている。
【００３９】
そして、スプリング６０１によって、第１コリメータモジュール２０４は矢印Ｆ方向（図９（ｂ）参照）に引っ張られ、そのレール当接部３０１ａが、フォーカスレール３０８およびフォーカスレール３０９に押し付けられた状態になっている。このため、第１コリメータモジュール２０４はがたつくことなく光学ベース部５００に取り付けられている。
【００４０】
また、第１コリメータモジュール２０４は、光学ベース部５００の背面に形成された螺子孔５００ｄより挿入されたフォーカス調整螺子６０２が取り付けられている。そして、光学ベース部５００の背面と第１コリメータモジュール２０４の間にスプリング６０３が配備されており、矢印Ｅ方向に押圧されているため、フォーカス調整螺子６０２の回動により、第１コリメータモジュール２０４は、がたつくことなくフォーカスレール３０８およびフォーカスレール３０９上を摺動し、矢印Ｄ方向に位置調整することができるので、コリメータレンズ３５の光軸方向のフォーカス調整を行うことが出来る。
【００４１】
なお、前記出射角度調整螺子３０６および３０７は、図９（ｂ）に示すように、水平よりも４５°上に傾いている。よって、図５に示すように、第１コリメータモジュール２０４、第２コリメータモジュール２０５、第３コリメータモジュール２０６が近接して配置されていても、ドライバー等によって容易にこれらの調整螺子を回して調整することができるようになっている。
【００４２】
続いて、図１０は第１シフトモジュール２０７の外観を示し、図１１は第１シフトモジュール２０７の分解斜視図を示している。なお、第１シフトモジュール２０７、第２シフトモジュール２０８、第３シフトモジュール２０９ともに同様の構造をしているので、ここでは代表して、第１シフトモジュール２０７を基に説明する。
【００４３】
図１０および図１１において、４０１は回動ベースであり、４０１ａは回動軸部４１０の先端部４２０ａが挿入される孔部、４０１ｂは角度調整螺子４０９の先端を受ける受部４０１ｃを有する延長部、４０１ｄは固定螺子４０６，４０７が進入する溝部、４０１ｅは軸受部、４０１ｆは前記固定螺子４０６，４０７が取り付けられる螺子孔である。
【００４４】
４０２は可動テーブルであり、平行平板からなるシフトガラス４０３が金属製のシフトガラスカバー４０４によって取り付けられる。４０２ａは位置調整螺子４０９が取り付けられる螺子孔４０２ｃを有する延長部、４０２ｂは回動軸であり、前記回動ベースの軸受部４０１ｅに載置される。
【００４５】
４０８は前記可動テーブル４０２を回動ベース４０１へ取り付けるための軸受プレートである。軸受プレート４０８には、固定螺子４０６，４０７のための孔４０８ａが掲載されると共に、可動テーブル４０２の回動軸４０２を保持する軸受孔部４０８ｂが形成されている。
【００４６】
図１０に示すように、回動ベース４０１の軸受部４０１ｅに可動テーブル４０２の回動軸４０２ｂを載置した状態で、軸受プレート４０８の軸受孔部４０８ｂに可動テーブル４０２の回動軸４０２ｂを通し、固定螺子４０６で固定する。反対側も同様にして、軸受プレート４０８を固定螺子４０７で固定する。
【００４７】
さらに、固定螺子４０６の側では、ばね部材４０５の巻回部４０５ａを可動テーブル４０２の回動軸４０２ｂに通し、引掛部４０５ｂを図のように回動ベース４０１側へ掛け、もう一方の引掛部４０５ｃを可動テーブル４０２に掛ける。これにより、可動テーブル４０２は、図１０の矢印Ｈ方向に付勢され、がたつくことはない。
【００４８】
そして、角度調整螺子４０９を矢印Ｉ方向に回すことにより、可動テーブル４０２を、回動軸４０２ｂを中心に回動させ、シフトガラス４０３の傾きを矢印Ｇ方向に調整することが出来る。また、回動ベース４０１を回動軸部４１０に対して矢印Ｊのように回動させることで、レーザ光の光軸調整を行うことが出来る。
【００４９】
図８に戻って、第１シフトモジュール２０７は、光学ベース部５００に形成された開孔５００ｆに取り付けられる。そして、同図からは見えないが、第２シフトモジュール２０８、第３シフトモジュール２０９も同様にして光学ベース部５００に形成された開孔に取り付けられる。
【００５０】
次に、図１２は、レーザ光の光軸調整を説明するための模式図である。シフトガラス４０３が無い場合（もしくはその平面が光軸と直交する面と平行になっている）、レーザ光の光軸は破線のようになる。ここで、可動テーブル４０２を、回動軸４０２ｂを中心に矢印Ｐ方向に回動させると、実線のように光軸が移動する。反対に、可動テーブル４０２を、回動軸４０２ｂを中心に矢印Ｑ方向やＲに回動させると、レーザ光の光軸は先ほどとは逆の方向へと移動する。
【００５１】
また、図１３は光学モジュールの背面側の一部を示す外観図である。輝度モニタ２１５は、ＬＤ２０１、ＬＤ２０２、ＬＤ２０３の取付けられている面と同じ面に配備されている。前記したように、分光ミラー２１４によって、レーザ光の５％程度が矢印Ｓ方向に分光され、輝度モニタ２１５に到達するように構成されている。このように配置することで、入出力用の各種配線を同一面側から接続できるので、配線の取り回しが容易となる。
【００５２】
以上、本実施の形態における光源装置および画像表示装置の構成について説明したが、続いて、光学モジュール１２１の調整の手順について説明する。
（１）出射レーザ光の出射角度とフォーカス粗調整
ａ．光学モジュールを出射角度調整治具（図示せず）に取り付ける。
【００５３】
ｂ．オートコリメータを使用し、出射レーザ光がモニタの観測範囲に入るように、第１コリメータモジュール２０４の出射角度調整螺子３０６および出射角度調整螺子３０７を回して粗調整する。
【００５４】
ｃ．第１コリメータモジュール２０４のフォーカス調整螺子６０２を回し、モニタ上のレーザ光のスポットサイズが最小になるように調整する。
【００５５】
ｄ．同様にして、第２コリメータモジュール２０５、第３コリメータモジュール２０６についても出射レーザ光の出射角度の調整およびフォーカス粗調整を行い、赤、青、緑の各色のビームスポットが１点に重なるように調整する。
（２）出射レーザ光のビーム位置粗調整
ａ．光学モジュールをビーム位置調整治具（図示せず）に取り付ける。
【００５６】
ｂ．第１シフトモジュール２０７の位置調整螺子４０９および回動テーブル４０１自体を回動させて、出射レーザ光が所定の位置に来るように、シフトガラス４０３の角度を調整する。同様にして、第２シフトモジュール２０８、第３シフトモジュール２０９についてもシフトガラスの角度を調整し、赤、青、緑の各色のビームスポットが１点に重なるようにする。
（３）出射レーザ光のフォーカス微調整
ａ．ビームプロファイラを所定の観測距離にセットする（図示せず）。
【００５７】
ｂ．第１コリメータモジュール２０４、第２コリメータモジュール２０５、第３コリメータモジュール２０６を調整し、ビーム強度１／ｅ2（１３．５％）の位置のビーム幅（短軸）が最小になるようフォーカス微調整する。
【００５８】
ｃ．第１シフトモジュール２０７、第２シフトモジュール２０８、第３シフトモジュール２０９のシフトガラスを動かし、出射レーザ光のビームが走査ミラー２１３ａの中央に来るよう調整する（ビーム位置修正）。
【００５９】
このようにして、各調整が完了する。なお、上記の手順では、走査部２１３における調整についての説明は割愛した。
【００６０】
図１４（ａ）は、従来の構成を採用し、光学調整を行った場合における赤色光、緑色光、青色光の集光位置をプロットした図であり、図１４（ｂ）は、本実施の形態にて述べた構成を採用し、光学調整を行った場合における、光軸方向に対する、赤色光、緑色光、青色光の集光位置を示している。なお、ここでいう従来の構成とは、レーザダイオードとコリメータレンズを先にモジュール・ユニット化した後、光学モジュールへ実装した場合である。
【００６１】
図１４（ａ）に示すように、光学モジュールから出射されるレーザ光の集光位置が、緑色光と赤色光では略同じ位置なのに対し、青色光については、１ｃm程後退している。さらに光学モジュール間でも集光位置や、フォーカス位置での光ビーム径のばらつきも発生しているのがわかる。
【００６２】
一方、図１４（ｂ）で示すように、本実施の形態における調整機構を採用した場合では、各色光の集光位置が略同じ位置で、且つその光ビーム径も略５０〜７０マイクロメートルの間に揃っており、光学モジュール間の個体ばらつきを小さくすることもできた。
【００６３】
以上の結果、表示した映像もボケや、色毎のフォーカス位置ずれに起因する特定の色だけ滲んで見える現象を無くすことができた。
【００６４】
上記の実施の形態に述べた構成はあくまでも一例であり、説明および図面に例示した態様以外の構成においても適宜摘要が可能であることは言うまでもない。
【産業上の利用可能性】
【００６５】
本発明は、レーザ光源を用いた光源装置の各種光学調整が可能で、当該光源装置を用いた画像表示装置などにも適応可能である。
【符号の説明】
【００６６】
１２０  …  画像表示装置
１２１  …  光学モジュール（光源装置）
１２２  …  虚像光学系
２０１  …  ＬＤ（青色用のレーザダイオード）
２０２  …  ＬＤ（緑色用のレーザダイオード）
２０３  …  ＬＤ（赤色用のレーザダイオード）
２０４  …  第１コリメータモジュール
２０５  …  第２コリメータモジュール
２０６  …  第３コリメータモジュール
２０７  …  第１シフトモジュール
２０８  …  第２シフトモジュール
２０９  …  第３シフトモジュール
２１０  …  第１ダイクロイックミラー
２１１  …  第２ダイクロイックミラー
２１２  …  第３ダイクロイックミラー
２１４  …  分光ミラー
２１５  …  輝度モニタ
３０３  …  コリメータレンズ
３０６  …  出射角度調整螺子
３０７  …  出射角度調整螺子
３０８  …  フォーカスレール
３０９  …  フォーカスレール
４０１  …  回動ベース
４０２  …  可動テーブル
４０３  …  シフトガラス
４０９  …  角度調整螺子
４１０  …  回動軸部
６０２  …  フォーカス調整螺子
【図１】
2017143014.tif 000003
【図２】
2017143014.tif 000004
【図３】
2017143014.tif 000005
【図４】
2017143014.tif 000006
【図５】
2017143014.tif 000007
【図６】
2017143014.tif 000008
【図７】
2017143014.tif 000009
【図８】
2017143014.tif 000010
【図９】
2017143014.tif 000011
【図１０】
2017143014.tif 000012
【図１１】
2017143014.tif 000013
【図１２】
2017143014.tif 000014
【図１３】
2017143014.tif 000015
【図１４】
2017143014.tif 000016